(57)【要約】  電源遮断直後の立上時において、オペレータが不要であると直前の電源遮断時に判断した動作項目の実行を省略し、できるだけ早く検査を開始できる状態に復帰する。そこで、自動分析装置に、複数の検体を架設する検体収容部と、複数の試薬を架設する試薬収容部と、前記検体と前記試薬を反応させて分析する分析部と、ディスプレイと、再起動時に限り有効な自動実行動作項目の設定を記憶する記憶部と、オペレータによる分析中の電源遮断操作の受付時に、前記自動実行動作項目を設定するための画面を前記ディスプレイに表示してオペレータからの前記設定を受け付け、前記再起動時に、前記記憶部から読み出した前記設定に従い、オペレータが指定した前記自動実行動作項目を自動的に実行する、又は、実行を省略する制御部と、を設ける。
2017033598.tif 000002
【特許請求の範囲】
【請求項１】
複数の検体を架設する検体収容部と、
複数の試薬を架設する試薬収容部と、
前記検体と前記試薬を反応させて分析する分析部と、
ディスプレイと、
再起動時に限り有効な自動実行動作項目の設定を記憶する記憶部と、
オペレータによる分析中の電源遮断操作の受付時に、前記自動実行動作項目を設定するための画面を前記ディスプレイに表示してオペレータからの前記設定を受け付け、前記再起動時に、前記記憶部から読み出した前記設定に従い、オペレータが指定した前記自動実行動作項目を自動的に実行する、又は、実行を省略する制御部と
を有する自動分析装置。
【請求項２】
請求項１に記載の自動分析装置において、
前記自動実行動作項目は、オペレータには事前に状態の認識が可能であるが、前記制御部が状態を把握するには対応する処理動作の実行が不可欠である項目である
ことを特徴とする自動分析装置。
【請求項３】
請求項２に記載の自動分析装置において、
前記自動実行動作項目は、通常起動時において必須の動作項目である
ことを特徴とする自動分析装置。
【請求項４】
請求項１に記載の自動分析装置において、
前記制御部は、再起動時に限り有効な前記自動実行動作項目をオペレータが設定できる前記画面の表示中でも、前記画面の表示から規定時間が経過した後は、設定内容を保存することなく電源を遮断する
ことを特徴とする自動分析装置。
【請求項５】
請求項１に記載の自動分析装置において、
前記制御部は、再起動時に実行が省略された前記自動実行動作項目を、報知手段を通じて報知する
ことを特徴とする自動分析装置。 
【発明の詳細な説明】
【技術分野】
【０００１】
本発明は、複数の検体を同時に処理することができる自動分析装置に関する。
【背景技術】
【０００２】
昨今、高齢化率の上昇やガン患者の増加により医療費が増大している。医療費を抑制するために病院の役割分担が進み、三次救急等の拠点病院には２４時間の受け入れ態勢が求められている。その結果、医師や看護師（以下、「オペレータ」という。）はもとより、患者の検査に使用される医療機器も、いつでも対応できる状態にあることが求められる。【０００３】
加えて、医療機器においては、取扱説明書で決められた手順による使用、定期的な保守（メンテナス）等が不可欠であることが多い。そのため、定期的な保守のために、オペレータが医療機器の付近に長く拘束される事態も生じている。【０００４】
特許文献１には、起動時に一連の保守動作を自動的に実行し、検査業務が始まるまでに必要な保守動作を無人で済ませることができる医療機器が記載されている。また、特許文献２には、起動時の保守動作に要する時間を短縮する目的で、オペレーションと並行して実行可能な保守動作を設定できる免疫分析装置が記載されている。さらに、特許文献３には、予め設定しておいた時刻に、複数の分析モジュールのうちの一部の分析モジュールをシステムから切り離し、自動的に保守動作を実行する自動分析システムが記載されている。【０００５】
現在、保守動作に要する時間を短縮し、検体の分析時間をできるだけ確保するために様々な工夫が提案されている。しかし、保守動作を無くすことはできないので、２４時間いつでも検査を実行できるように、同じ医療機器を２台備える施設が増えている。このような施設では、検査を行っていない医療機器について保守を行い、検査を行っている装置はいつでも検体を測定できるようにスタンバイ状態で運用される。
【先行技術文献】
【特許文献】
【０００６】
【特許文献１】特開平２−８０９６２号公報
【特許文献２】国際公開第２０１１／０７８１１８号
【特許文献３】特開２００５−２４１６１２号公報
【発明の概要】
【発明が解決しようとする課題】
【０００７】
しかし、上述の技術では、突然の故障や突発的な事象などに対処するために医療機器の電源を一旦落とした後、すぐさま起動するような場合（すなわち、再起動する場合）にも、通常の起動時での実行を想定している一連の初期化動作や、自動保守機能が自動的に実行されてしまう。その場合、オペレータは、それら一連の保守動作が終わるまで検査を開始することができない。【０００８】
ところで、自動的に起動される一連の保守動作は、一般に、操作画面から設定可能である。このため、医療機器を再起動させる場合には、再起動時における保守動作の自動実行を事前に解除し、待ち時間なく検査を再開させることが行われている。ところで、既存の自動分析装置には、次回起動時のみを対象とした保守機能の設定画面なるものは用意されていないため、自動起動する保守動作の解除の効果は、再起動時のみならず、通常起動時にも影響する。【０００９】
しかし、再起動後は、待機中の検体の検査を一刻も早く実行する必要があるのに加え、再起動自体がイレギュラーな操作であるので、解除された自動保守動作の再設定をオペレータが忘れてしまうことがある。このような場合、通常起動時に自動保守機能が動作しない事態が生じ、検査の前処理としての保守動作が、オペレータによる実行指示があるまで開始されないことになる。このため、オペレータによる保守動作の実行指示が遅れると、予定された検査開始時刻までに保守が終わらない事態が生じ得る。【００１０】
また、自動保守動作には、医療機器が自らの状態を把握するために不可欠な動作である初期化動作も含まれる。初期化動作の実行により、医療機器は、各部の機構や位置を把握でき、各部を制御できる状態になる。また、初期化動作は、電源を落としている間における検査試薬や消耗品の変更の有無を把握するためにも実行される。初期化動作は、例えばバーコードの読み取り等による試薬ボトルの存在確認や、設置されている試薬ボトルの試薬量を測定する動作であり、試薬や消耗品の追加が無いことをオペレータが知っている場合にも実行される。しかし、初期化動作を実行すれば、その時間だけ検査の開始が遅れるため、オペレータが初期化動作に介在できる仕組みが望まれる。【００１１】
本発明は、オペレータによる自動保守機能の再設定忘れの心配が無く、しかも、次回起動時における検査をできるだけ早く開始することができる自動分析装置を提供する。
【課題を解決するための手段】
【００１２】
上記課題を解決するために、本発明は、例えば特許請求の範囲に記載の構成を採用する。本明細書は上記課題を解決する手段を複数含んでいるが、その一例を挙げるならば、「複数の検体を架設する検体収容部と、複数の試薬を架設する試薬収容部と、前記検体と前記試薬を反応させて分析する分析部と、ディスプレイと、再起動時に限り有効な自動実行動作項目の設定を記憶する記憶部と、オペレータによる分析中の電源遮断操作の受付時に、前記自動実行動作項目を設定するための画面を前記ディスプレイに表示してオペレータからの前記設定を受け付け、前記再起動時に、前記記憶部から読み出した前記設定に従い、オペレータが指定した前記自動実行動作項目を自動的に実行する、又は、実行を省略する制御部と、を有する自動分析装置」である。
【発明の効果】
【００１３】
本発明によれば、オペレータによる自動保守機能の再設定忘れの心配がなく、しかも、次回起動時における検査をできるだけ早く開始することができる自動分析装置を提供することができる。前述した以外の課題、構成及び効果は、以下の実施の形態の説明により明らかにされる。
【図面の簡単な説明】
【００１４】
【図１】実施例に係る自動分析装置の概略構成を示す図。
【図２】検査中の電源遮断時に表示する設定画面例を示す図。
【図３】検査中の電源遮断時に実行される動作例を示すフローチャート。
【図４】再起動時に実行される動作例を示すフローチャート。
【図５】検査中の電源遮断時に実行される他の動作例を示すフローチャート。
【図６】再起動時に表示される起動時動作の状況画面例を示す図。
【発明を実施するための形態】
【００１５】
以下、図面に基づいて、本発明の実施の形態を説明する。なお、本発明の実施の態様は、後述する実施例に限定されるものではなく、その技術思想の範囲において、種々の変形が可能である。
【００１６】
（１）実施例１
（１−１）装置構成
図１に、自動分析装置１００の構成例を示す。操作部１０２はコンピュータ（ＣＰＵ、記憶部、インターフェース）を有し、分析部を含む装置本体の動作を制御する。ＣＰＵは、プログラムの実行により分析部の動作を制御する制御部として機能する。操作部１０２は、付属するディスプレイ１０１に各種の情報を表示し、オペレータに自動分析装置１００の状態を通知する。また、操作部１０２は、ディスプレイ１０１に各種の操作画面を表示し、操作画面に対するオペレータの操作入力を通じて自動分析装置１００の動作を制御する。
【００１７】
操作部１０２は、接続ケーブル１０７を通じて装置本体と接続されている。装置本体は、検体容器１０８を架設する検体投入部１０３と、反応容器に分注された検体と試薬を反応させて分析を行う分析部１０４と、分析の終わった検体を収容する検体収容部１０５と、検体容器１０８を搬送する検体搬送部１０６とで構成される。検体搬送部１０６は、検体投入部１０３、分析部１０４及び検体収容部１０５を横断的に接続するレーンで構成され、検体容器１０８はホルダ（カップ、ラック等）に搭載された状態で搬送される。
【００１８】
分析部１０４には、検体容器１０８から検体（試料）を分取する検体分注機構１１１、検体を分注して試薬と反応させる反応容器を円周方向に沿って架設する反応ディスク１１４、複数の試薬ボトル１１６を架設することができ、検査項目に応じて回転する試薬ディスク（試薬収容部）１１５、試薬ボトル１１６から分取した試薬を、反応ディスク１１４に架設された反応容器に分注する試薬分注機構１（１１２）及び試薬分注機構２（１１３）が配置されている。通常の検査には、第一試薬と第二試薬の二種類が用いられることが多いため、分析部１０４には、２つの試薬分注機構が設けられている。反応ディスク１１４には反応槽が設けられており、反応容器は反応槽内の水に浸された状態で保持される。反応容器が反応槽内の水に浸されていることにより、反応容器内の検体と試薬の反応中の温度が一定に保たれる。
【００１９】
（１−２）再起動時（次回起動時）に限り有効な動作項目の設定画面
本実施例における操作部１０２には、前述した技術課題の解決のための機能として、再起動時に限り有効な自動実行処理項目の設定を受け付ける画面を表示する機能が設けられている。以下の説明では、特に区別をする場合、検査中の不測の事態などに対処するために自動分析装置１００の電源を遮断した直後に起動される場合の起動動作を「再起動」と表現し、検査の終了後に自動分析装置１００の電源を遮断し、次回始業時に起動する場合の起動動作を「通常起動」と表現する。
【００２０】
図２に、本実施例で使用する電源遮断画面２０１の一例を示す。この電源遮断画面２０１は、操作部１０２がオペレータによる電源オフ（OFF）スイッチの押下を検出した場合に、ディスプレイ１０１上に表示される。電源遮断画面２０１を使用し、オペレータは、再起動時（次回起動時）に限り有効な動作項目の実行の有無を設定する。電源遮断画面２０１に表示される動作項目は、一般に、操作部１０２による状態の把握には動作の実行を必須とするが、オペレータには状態の認識が可能な動作項目である。
【００２１】
図２の場合、電源遮断画面２０１には、ラックの回収動作の実行又は省略を指定するチェックボックス２０３、試薬ボトルの登録動作の実行又は省略を指定するチェックボックス２０４、電源投入時の一括準備動作の実行又は省略を指定するチェックボックス２０５、および設定登録ボタン２０２が配置されている。これらの動作項目は、通常起動時において必須の処理項目であるので、不測の事態が生じる前の通常起動時において既に操作部１０２により確認が完了している。従って、電源の遮断から再起動までの間に状態変化が無い動作項目については、重複的に実行する必要が無く、その実行を省略することができる。
【００２２】
図２の例では、チェックが入っているチェックボックスに対応する動作が実行され、チェックが入っていないチェックボックス（チェックを外したチェックボックス）に対応する動作の実行が省略される。オペレータが設定登録ボタン２０２を押下することで、３つのチェックボックス２０３〜２０５に対応する動作項目の再起動時（次回起動時）における実行又は省力が不図示の記憶部に登録される。
【００２３】
ここでの設定は再起動時（次回起動時）に限り有効である点で、毎起動時の実行動作を規定する既存技術の設定と相違する。電源遮断画面２０１は、チェックボックスが３つの場合を表しているが、自動分析装置１００の形態によっては、チェックボックスの数が２つの場合もあるし、４つ以上の場合もある。また、各チェックボックスに対応付けられる動作項目の組み合わせは、図２に示す組み合わせに限られない。
【００２４】
（１−３）通常動作
前述した電源遮断画面２０１による処理動作の理解のため、自動分析装置の一般的な動作について説明する。毎始業時に、オペレータが、検体投入部１０３に設けられた不図示の電源オン(on)スイッチを押下すると、自動分析装置１００を構成する各部に電源が供給され、所定の動作が開始される。まず、コンピュータのオペレーティングシステムが起動し、通信によって各部との間で同期を確立する。
【００２５】
その後、ＣＰＵは、通常起動時に自動的に実行するものとして設定されている一連の処理動作を実行する。最初に、ＣＰＵは、リセット動作を実行し、各機構の位置を確認する。ＣＰＵは、リセット動作において、各部の機構を初期位置に移動させる。リセット動作と並行して、ＣＰＵは、検体搬送部１０６に残されていた検体容器１０８を検体収容部１０５へと収納する。検体容器１０８が複数存在する場合、ＣＰＵは、それらの全てを移送する必要がある。移送には、残存する検体容器１０８の数に応じた時間が必要となる。
【００２６】
次に、ＣＰＵは、電源断の間の環境変化（例えば試薬ディスク１１５に新しい試薬ボトルが置かれていないか、使われて不要になった試薬ボトルが試薬ディスク１１５から取り出されていないか等）を確かめるため、例えば試薬ディスク１１５を回転駆動して全ての架設箇所の状況を確認する。新たな試薬ボトルが見つかった場合、ＣＰＵは、試薬残量の確認を行う。自動分析装置１００には、数十もの試薬ボトルを設置できるため、相応の時間を必要とする。
【００２７】
機構位置の初期化処理及び試薬ボトルの認識処理が終了すると、ＣＰＵは、ユーザによって指定されていれば、一括準備動作を続けて行なう。一括準備動作では、反応セルのキャリブレーション、反応槽水の交換、各分注機構に備わる流路内水の置換、反応液を測定する測定器の状態確認など、通常数項目の保守動作が次々に実行される。一括準備動作が終了すると、自動分析装置１００はスタンバイ状態となり、オペレータからの指示を待ち受ける。この段階でオペレータが検査の実行を指示すると、検査が開始される。
【００２８】
検査が終了すると、オペレータは、残されている検体はないか等の確認を行う。オペレータが、検体投入部１０３に設けられている電源オフ（off）スイッチ（不図示）を押下すると、ＣＰＵは、終了時の処理を開始する。すなわち、ＣＰＵは、各コンピュータのオペレーティングシステムをシャットダウンし、電源回路を遮断する。装置の電源が落ちた後、オペレータは、取扱説明書によって指示された各部清掃などのメンテナンスを行ない、翌日の検査に備える。
【００２９】
（１−４）操作部１０２の処理動作
（１−４−１）検査中の電源遮断時に実行される処理動作
図３に、電源断の操作時に、操作部１０２において実行される処理動作を説明する。操作部１０２は、検査中に電源オフ（OFF）スイッチが押されたかどうかを常に監視している（ステップ３０１）。オペレータが検査中に電源オフ（OFF）スイッチを押下すると、操作部１０２は、設定画面表示処理（ステップ３０２）を実行し、電源遮断画面２０１（図２）をディスプレイ１０１に表示する。
【００３０】
電源遮断画面２０１が表示されている間、操作部１０２は、設定登録ボタン２０２が押下されたかどうかを判定している（ステップ３０３）。オペレータが設定登録ボタン２０２を押下すると、操作部１０２は、動作項目の「実行」又は「実行省略」に関する設定を不図示の記憶部（例えばハードディスク）に記憶する（ステップ３０４）。すなわち、操作部１０２は、電源遮断画面２０１に含まれるチェックボックス２０３〜２０５のチェック状態を読み取って、チェックが入っているチェックボックスに対応する動作項目については「実行」、チェックが入っていないチェックボックスに対応する動作項目については「実行省略」を記憶する。
【００３１】
その後、操作部１０２は、電源遮断処理（ステップ３０５）を実行する。電源断処理においては、各コンピュータのオペレーティングシステムがシャットダウンされ、電源回路も遮断される。自動分析装置１００の電源が切れている間も、ハードディスクなどの記憶部において、各チェックボックスの設定情報は保持される。
【００３２】
（１−４−２）再起動時（次回起動時）の処理動作
図４に、再起動時（次回起動時）に、操作部１０２において実行される処理動作を説明する。オペレータによる電源オン（ON）スイッチの押下により電源回路が閉ざされると（ステップ４０１）、各部の電源が入り、所定の動作が開始される。まず、コンピュータのオペレーティングシステムが起動し、通信によって各部との間で同期を確立する。
【００３３】
次に、操作部１０２は、起動時に実行するものとして設定されている一連の処理動作の実行に先立ち、直前回の終了時に設定されたチェックボックスの状態を読み出す（ステップ４０２）。
【００３４】
設定の読み出し後、操作部１０２は、ラックの回収動作の設定が「実行」であるか、「実行省略」であるかを判定する（ステップ４０３）。設定内容が「実行」の場合、操作部１０２は、機構のリセット動作と並行してラックの回収動作（ステップ４０４）を実行し、「実行省略」の場合、ラックの回収動作（ステップ４０４）をスキップして次の動作項目の判定に進む。
【００３５】
次に、操作部１０２は、試薬ボトルの登録動作の設定が「実行」であるか、「実行省略」であるかを判定する（ステップ４０５）。設定内容が「実行」の場合、操作部１０２は、試薬ボトルの登録動作（ステップ４０６）を実行し、「実行省略」の場合、試薬ボトルの登録動作（ステップ４０６）をスキップして次の動作項目の判定に進む。
【００３６】
続いて、操作部１０２は、電源投入時の一括準備動作の設定が「実行」であるか、「実行省略」であるかを判定する（ステップ４０７）。設定内容が「実行」の場合、操作部１０２は、電源投入時の一括準備動作（ステップ４０８）を実行し、「実行省略」の場合、電源投入時の一括準備動作（ステップ４０８）をスキップする。
【００３７】
読み出された全ての動作項目についてのチェック状態の判定が終了すると、操作部１０２は、設定リセット処理を実行する（ステップ４０９）。設定リセット処理では、ステップ４０２で読み出した設定内容の全てが、動作を実行する内容に初期化される。この後、操作部１０２は、立上動作終了処理を実行し（ステップ４１０）、自動分析装置１００をスタンバイ状態に制御する。すなわち、操作部１０２は、オペレータからの指示を待機する状態になる。
【００３８】
（１−５）まとめ
上述したように、本実施例に係る自動分析装置１００においては、操作部１０２には該当する動作の実行を経なければ判らないが、オペレータには認識可能な動作項目についての再起動時に自動実行するか省略するかを、直前回の電源遮断時（検査中の電源遮断時）に予め設定することができる。
【００３９】
当該機能の搭載により、患者検体を検査中に電源の遮断が必要になった場合（例えば、取扱説明書に電源を落としておこなうよう指示された部品交換や各部の保守作業を不意に行なう必要が生じた場合）でも、再起動時（次回起動時）において省略可能な動作項目をオペレータが自由に設定することができる。この結果、再起動時（次回起動時）に自動実行される動作は必要不可欠な動作に限定でき、最短時間で自動分析装置１００を検査が可能な状態に復帰させることができる。
【００４０】
また、本実施例における電源遮断画面２０１は、検査中における電源オフ（OFF）スイッチの押下に起因して表示され、その設定内容は再起動時（次回起動時）のみで有効であり、既存技術のように毎起動時に有効な設定とは異なるので、前述したような設定解除後の再設定の失念により、次回以降の毎起動時に自動保守機能が起動しない事態を確実に回避できる。また、本実施例の場合、電源遮断画面２０１に表示される動作項目は基本的に実行するようにリセットされるので（ステップ４０９）、オペレータは省略可能な動作項目についてのみチェックを外す操作を行えばよく、不測の電源遮断時における操作数の増加による使い勝手の低下のおそれもない。
【００４１】
（２）実施例２
図３に示す終了時の処理動作では、オペレータによる設定登録ボタン２０２の押下（ステップ３０３）が行われるまで自動分析装置１００の電源を遮断することができない。そこで、本実施例では、設定登録ボタン２０２の押下が一定時間以上なされない場合には、自動分析装置１００の電源を自動的に遮断する仕組みを採用する。
【００４２】
図５に、電源断の操作時に、本実施例に係る操作部１０２において実行される処理動作を説明する。本実施例の場合も、操作部１０２は、検査中に電源オフ（OFF）スイッチが押されたかどうかを常に監視している（ステップ５０１）。オペレータが電源オフ（OFF）スイッチを押下すると、操作部１０２は、設定画面表示処理（ステップ５０２）を実行し、電源遮断画面２０１（図２）をディスプレイ１０１に表示する。
【００４３】
続いて、操作部１０２は、電源遮断画面２０１が表示されてからの経過時間を監視するタイマーを起動する（ステップ５０３）。その後、操作部１０２は、設定登録ボタン２０２が押下されたかどうかを判定する（ステップ５０４）。設定登録ボタン２０２の押下が検出されなかった場合、操作部１０２は、経過時間が規定値（例えば１分、５分など）を超えたか否かを判定する（ステップ５０７）。経過時間が規定値を超えていない場合、操作部１０２は、ステップ５０４に戻る。
【００４４】
ステップ５０４で設定登録ボタン２０２の押下が検出された場合、操作部１０２は、動作項目の「実行」又は「実行省略」に関する設定を不図示の記憶部（例えばハードディスク）に記憶し（ステップ５０５）、その後、電源遮断処理（ステップ５０６）を実行する。一方、規定時間が経過してもオペレータによる設定登録ボタン２０２の押下が検出されなかった場合、操作部１０２は、ステップ５０７から電源遮断処理（ステップ５０６）に直接移行する。
【００４５】
以上のように、本実施例の場合には、オペレータが設定登録ボタン２０２の押下を忘れても（検査中の電源断は一般に不測の事態の発生時であるので、オペレータは様々な作業や操作に忙殺され、設定登録ボタン２０２の押下を忘れる可能性が高い。）、電源が遮断されない状態が長時間継続する事態を回避できる。この結果、再起動動作が遅滞なく実行され、検査が可能な状態に確実に復帰できる。
【００４６】
本実施例のように、設定内容の登録を行わずに電源の遮断が実行される場合には、電源遮断画面２０１の設定が自動分析装置１００の再起動時（次回起動時）にリセットされる（ステップ４０９）ので、電源遮断画面２０１に表示されている全ての動作項目が実行されることになる。
【００４７】
因みに、本実施例に係る機能が搭載されていない場合には、オペレータが設定登録ボタン２０２の押下忘れに気づいた後に、電源の遮断処理及び再起動動作が実行されることになるので、一部の動作項目の実行が省略されたとしても、検査が可能な状態に復帰するのは本実施例に比較して遅れる可能性が高くなる。
【００４８】
（３）他の実施例
本発明は、上述した実施例に限定されるものでなく、様々な変形例を含んでいる。
【００４９】
（３−１）例えば電源遮断画面２０１（図２）では、チェックボックスにチェックが入っている状態を標準状態としているが（標準状態が全項目の「実行」）、チェックボックスに反対にチェックが入っていない状態を標準状態としても良い。すなわち、標準状態を全項目の「実行省略」としても良い。この場合には、所定の動作を実行させたいときに、チェックボックスにチェックを入れることになる。標準状態がいずれであるかは、発明の本質ではない。
【００５０】
（３−２）また、前述の実施例では、電源投入時の一括準備動作に対応するチェックボックス２０５にチェックが無い場合、一括準備動作について設定された全ての動作の実行を省略させているが、一括準備動作について設定されている動作毎にチェックボックスを更に表示し、個々の動作を実行させるか否かを選択できるようにしてもよい。
【００５１】
（３−３）前述の実施例では、分析部１０４が一つの場合について説明したが、自動分析装置１００に複数の分析部１０４が設けられていてもよい。その場合、１つのチェックボックスの状態を他の１つ又は複数の分析部１０４に対しても一様に適用するか否かを指定できるようにしても良い。また、複数の分析部１０４のそれぞれについて動作項目の「実行」又は「実行省略」するか否かを個別に指示できるように、分析部１０４の数に相当するだけのチェックボックスを設けてもよい。後者の場合、個々のチェックボックスがどの分析部１０４に対応しているかが明らかなように電源遮断画面２０１に表示する。後者の場合、操作部１０２は、個々のチェックボックスの設定内容を個別に記憶部から読み出し、電源オン（ON）時には、個々の分析部１０４について各動作項目を実行するか否かを判定すればよい。
【００５２】
（３−４）多くの自動分析装置１００には、その動作状況を確認するためのログ機能が備えられている。そこで、オペレータの設定により実行が省略された動作項目をログに記録し、ログ機能にて確認できるようにしてもよい。また、特定の動作項目の実行が省略されていることを積極的にオペレータに示すために、設定リセット処理（ステップ４０９）で設定を初期化する前に、操作部１０２が、省略された動作項目を表示する画面（例えば図６に示す起動時動作の状況画面６０１）をディスプレイ１０１に表示しても良い。
【００５３】
起動時動作の状況画面６０１には、「起動時の動作が省略されました。」、「オペレータの指示により、チェックのついた動作が省略されました。」との文面の表示と共に、電源遮断画面２０１に対応する動作項目が表示される。具体的には、ラックの回収動作の実行又は省略を示すチェックボックス６０３、試薬ボトルの登録動作の実行又は省略を示すチェックボックス６０４、電源投入時の一括準備動作の実行又は省略を示すチェックボックス６０５が表示される。
【００５４】
図６の場合、電源遮断画面２０１（図２）の設定で実行が省略された電源投入時の一括準備動作に対応するチェックボックス６０５にチェックがついている。オペレータが、閉じるボタン６０２を押下すると、操作部１０２は、当該画面をディスプレイ１０１から消去する。なお、省略された動作項目の報知は、ディスプレイ１０１以外の報知手段（例えばスピーカー、ＬＥＤ等）を用いて報知しても良い。また、起動時動作の状況画面６０１の表示は起動時以外のタイミングで表示しても良い。
【００５５】
（３−５）上述の実施例は、本発明を分かりやすく説明するために詳細に説明したものであり、必ずしも説明した全ての構成を備える必要はない。また、ある実施例の構成の一部を他の実施例の構成に置き換えることができる。また、ある実施例の構成に他の実施例の構成を加えることもできる。また、各実施例の構成の一部を削除することもできる。
【００５６】
また、上述した各構成、機能、処理部、処理手段等は、それらの一部又は全部を、例えば集積回路で設計する等によりハードウェアで実現しても良い。また、上記の各構成、機能等は、プロセッサがそれぞれの機能を実現するプログラムを解釈し、実行することにより（すなわちソフトウェア的に）実現しても良い。各機能を実現するプログラム、テーブル、ファイル等の情報は、メモリ、ハードディスク、SSD（Solid State Drive）等の記憶装置、又は、ICカード、SDカード、DVD等の記憶媒体に格納することができる。また、制御線や情報線は、説明上必要と考えられるものを示すものであり、製品上必要な全ての制御線や情報線を表すものでない。実際にはほとんど全ての構成が相互に接続されていると考えて良い。
【符号の説明】
【００５７】
１０１…ディスプレイ
１０２…操作部
１０３…検体投入部
１０４…分析部
１０５…検体収容部
１０６…検体搬送部
１０７…接続ケーブル
１０８…検体容器
１１１…検体分注機構
１１２…試薬分注機構１
１１３…試薬分注機構２
１１４…反応ディスク
１１５…試薬ディスク（試薬収容部）
１１６…試薬ボトル
２０１…電源遮断画面
２０２…設定登録ボタン
２０３…ラックの回収動作に対応するチェックボックス
２０４…試薬ボトルの登録動作に対応するチェックボックス
２０５…電源投入時の一括準備動作に対応するチェックボックス
６０１…起動時動作の状況画面
６０２…閉じるボタン
６０３…ラックの回収動作に対応するチェックボックス
６０４…試薬ボトルの登録動作に対応するチェックボックス
６０５…電源投入時の一括準備動作に対応するチェックボックス 
【図１】
2017033598.tif 000003
【図２】
2017033598.tif 000004
【図３】
2017033598.tif 000005
【図４】
2017033598.tif 000006
【図５】
2017033598.tif 000007
【図６】
2017033598.tif 000008
【国際調査報告】
2017033598.tif 000009
2017033598.tif 000010
2017033598.tif 000011
2017033598.tif 000012